(57)【要約】【課題】デジタル放送を利用して、ユーザから入力されたデータを含む電子メールを作成し、通信状態が悪い状況があっても使い勝手良く送信することを可能にする。【解決手段】携帯電話機１は、デジタル放送用のデータに付加された電子メールに使用されるメールデータを取得し、このメールデータをもとに電子メールを作成する。制御部２０は、電子メールの送信が可能な通信状態にあるか否かを無線部３０を通じて判別し、通信可能な状態と判別された場合に、作成された電子メールを送信し、通信不能な状態と判別された場合に電子メールを保存しておく。【選択図】      図１
2005352977.tif 000002
【特許請求の範囲】
【請求項１】
デジタル放送用のデータを送信する放送局システムであって、
番組データと関連づけて、電子メールで使用されるメールデータを、電子メールのフォーム中の項目を示す項目データと対応付けて送信することを特徴とする放送局システム。
【請求項２】
デジタル放送用のデータを受信すると共に無線通信により電子メールの送受信を行う受信装置において、
前記デジタル放送用のデータに付加された電子メールに使用されるメールデータを取得する取得手段と、
前記取得手段によって取得されたメールデータをもとに電子メールを作成する作成手段と、
電子メールの送信が可能な通信状態にあるか否かを判別する通信状態判別手段と、
前記通信状態判別手段により通信可能な状態と判別された場合に、前記作成手段により作成された電子メールを送信し、通信不能な状態と判別された場合に、前記作成手段により作成された電子メールを保存する送信制御手段と
を具備したことを特徴とする受信装置。
【請求項３】
前記作成手段は、
電子メールプログラムを起動して、電子メールプログラムが提供するフォームに、前記取得手段により取得されたメールデータを記載して電子メールを作成することを特徴とする請求項２記載の受信装置。
【請求項４】
前記送信制御手段によって電子メールが保存されている場合、前記通信状態判別手段により通信可能な状態と判別された時点で電子メールを送信することを特徴とする請求項２記載の受信装置。
【請求項５】
前記取得手段により取得されるメールデータをもとにして電子メールの作成要求を受け付けるボタンを表示するボタン表示手段と、
前記ボタン表示手段により表示されたボタンに対する入力操作により電子メールの作成要求を受け付ける受付手段とを有し、
前記作成手段は、前記受付手段により電子メールの作成要求が受け付けられた場合に電子メールを作成することを特徴とする請求項２記載の受信装置。
【請求項６】
デジタル放送用のデータを受信すると共に無線通信により電子メールの送受信を行う受信装置に搭載されるコンピュータを、
前記デジタル放送用のデータに付加された電子メールに使用されるメールデータを取得する取得手段と、
前記取得手段によって取得されたメールデータをもとに電子メールを作成する作成手段と、
電子メールの送信が可能な通信状態にあるか否かを判別する通信状態判別手段と、
前記通信状態判別手段により通信可能な状態と判別された場合に、前記作成手段により作成された電子メールを送信し、通信不能な状態と判別された場合に、前記作成手段により作成された電子メールを保存する送信制御手段として機能させるための制御プログラム。
【発明の詳細な説明】
【技術分野】
【０００１】
本発明は、デジタルテレビ放送を含む各種のデジタル放送を送信する放送局システム、及び同システムにより送信されるデジタル放送を受信する受信装置、同装置で実行される制御プログラムに関する。
【背景技術】
【０００２】
近年、地上波デジタルテレビ放送が開始された。地上波デジタルテレビ放送では、一般家庭用のテレビジョンによって高品質に放送を視聴できるだけでなく、データ放送や携帯電話機やＰＤＡ（personal digital assistant）などの移動体での視聴も可能となっている。また、クイズ番組への視聴者参加やドラマ・映画・音楽のリクエストなどの双方向機能にも対応している。
【０００３】
従来、デジタル放送により放送される楽曲を簡便にリクエストすることができるデジタル放送受信機が考えられている（例えば、特許文献１）。特許文献１に記載されたデジタル放送受信機は、音楽データに付加された番組付加情報に含まれる楽曲情報を読み出し、リクエスト用の電子メールの定型フォームの所定の位置に楽曲情報を記載して放送局に送信する。これにより、放送中の番組において提供している楽曲の情報を利用し、放送局に対して、簡便に所望する楽曲のリクエストをすることができる。
【特許文献１】特開２００３−１５８４９８号公報
【発明の開示】
【発明が解決しようとする課題】
【０００４】
しかしながら、引用文献１に記載されたデジタル放送受信機では、放送局に送信する電子メールに番組付加情報から取得されたデータのみを記載するだけであり、ユーザから何らかのデータを入力して記載することができなかった。従って、デジタル放送に対する問い合わせ、アンケートの回答、応募、ユーザ登録など、ユーザから入力されるデータを電子メールにより送信することができなかった。
【０００５】
また、地上波デジタルテレビ放送の受信装置は、インターネットと接続可能であり、デジタル放送に対する問い合わせ、アンケートの回答、応募、ユーザ登録などをする場合にＷｅｂブラウザを起動し、所定のサイトにアクセスしてユーザに入力させることもできる。しかしながら、受信装置が携帯電話機などの移動体である場合、無線通信の電波状態が悪い状況では使用できなかったり（通信不能）、あるいは通信時間が長くかかり（通信状態）料金が増大してしまうおそれがあった。こうした場合、ユーザが気にして利用機会を低下させたり、アンケートの回答などをしなくなったりしてしまう。
【０００６】
また、引用文献１に記載されたデジタル放送受信機では、携帯電話等から通信ネットワークを介して通信端末（メールサーバ）にデータを送信するとしているが、通信状態が悪い場合については何ら考慮されていない。
【０００７】
本発明の課題は、デジタル放送を利用して、ユーザから入力されたデータを含む電子メールを作成し、通信状態が悪い状況があっても使い勝手良く送信することが可能な放送局システム、受信装置、制御プログラムを提供することにある。
【課題を解決するための手段】
【０００８】
請求項１記載の発明は、デジタル放送用のデータを送信する放送局システムであって、番組データと関連づけて、電子メールで使用されるメールデータを、電子メールのフォーム中の項目を示す項目データと対応付けて送信することを特徴とする。
【０００９】
請求項２記載の発明は、デジタル放送用のデータを受信すると共に無線通信により電子メールの送受信を行う受信装置において、前記デジタル放送用のデータに付加された電子メールに使用されるメールデータを取得する取得手段と、前記取得手段によって取得されたメールデータをもとに電子メールを作成する作成手段と、電子メールの送信が可能な通信状態にあるか否かを判別する通信状態判別手段と、前記通信状態判別手段により通信可能な状態と判別された場合に、前記作成手段により作成された電子メールを送信し、通信不能な状態と判別された場合に、前記作成手段により作成された電子メールを保存する送信制御手段とを具備したことを特徴とする。
【００１０】
請求項３記載の発明は、請求項２記載の発明において、前記作成手段は、電子メールプログラムを起動して、電子メールプログラムが提供するフォームに、前記取得手段により取得されたメールデータを記載して電子メールを作成することを特徴とする。
【００１１】
請求項４記載の発明は、請求項２記載の発明において、前記送信制御手段によって電子メールが保存されている場合、前記通信状態判別手段により通信可能な状態と判別された時点で電子メールを送信することを特徴とする。
【００１２】
請求項５記載の発明は、請求項２記載の発明において、前記取得手段により取得されるメールデータをもとにして電子メールの作成要求を受け付けるボタンを表示するボタン表示手段と、前記ボタン表示手段により表示されたボタンに対する入力操作により電子メールの作成要求を受け付ける受付手段とを有し、前記作成手段は、前記受付手段により電子メールの作成要求が受け付けられた場合に電子メールを作成することを特徴とする。
【００１３】
請求項６記載の発明は、デジタル放送用のデータを受信すると共に無線通信により電子メールの送受信を行う受信装置に搭載されるコンピュータを、前記デジタル放送用のデータに付加された電子メールに使用されるメールデータを取得する取得手段と、前記取得手段によって取得されたメールデータをもとに電子メールを作成する作成手段と、電子メールの送信が可能な通信状態にあるか否かを判別する通信状態判別手段と、前記通信状態判別手段により通信可能な状態と判別された場合に、前記作成手段により作成された電子メールを送信し、通信不能な状態と判別された場合に、前記作成手段により作成された電子メールを保存する送信制御手段として機能させることを特徴とする。
【発明の効果】
【００１４】
請求項１記載の発明によれば、例えば地上波デジタルテレビ放送の放送局システムから、番組データと関連づけて、電子メールで使用されるメールデータを、電子メールのフォーム中の項目を示す項目データと対応付けて送信することで、番組中で視聴者に対して電子メールの返信を要求することができ、視聴者側では受信装置においてメールデータを利用して電子メールを自動作成することができるようになる。
【００１５】
請求項２記載の発明によれば、デジタル放送用のデータに付加された電子メールに使用されるメールデータをもとに電子メールを作成し、電子メールの送信が可能な通信状態にあると判別された場合に送信し、通信不能な状態と判別された場合に保存しておくので、通信状態が悪い時であっても電子メールに対する作業については何時でもすることができる。従って、例えばデジタル放送の番組内において電子メールの返信を要求する場合などにおいて、通信状態が悪く電子メールの送信ができないという理由で視聴者の利用機会が減ってしまうのを回避することができる。
【００１６】
請求項３記載の発明によれば、請求項２の発明の効果に加えて、電子メールプログラムを起動して、電子メールプログラムが提供するフォームにメールデータを記載して電子メールを作成するので、この作成された電子メールに対しては、電子メールプログラムが提供する通常の機能を利用して、例えばメール本文などのテキストデータの入力を受け付けて電子メールを作成することができる。
【００１７】
請求項４記載の発明によれば、請求項２の発明の効果に加えて、電子メール放送用のデータに付加されたメールデータを利用して作成された電子メールが保存されている場合、通信可能な状態と判別された時点で電子メールを自動送信するので、例えば、通信状態が悪く電子メールの送信ができなかった場合、その後、視聴者が通信可能になったことを確認して電子メールを送信するといった作業を行う必要がなくなる。
【００１８】
請求項５記載の発明によれば、請求項２の発明の効果に加えて、取得されたメールデータをもとにして電子メールの作成要求を受け付けるボタンを表示し、このボタンに対する入力操作に応じて電子メールを作成するので、受信装置において電子メール作成のためのボタンなどを予め設けておく必要がなく、デジタル放送の番組において必要となった場合に、適宜、電子メールの作成要求を受け付けることができるようになる。
【００１９】
請求項６記載の発明によれば、デジタル放送用のデータに付加された電子メールに使用されるメールデータをもとに電子メールを作成し、電子メールの送信が可能な通信状態にあると判別された場合に送信し、通信不能な状態と判別された場合に保存しておくので、通信状態が悪い時であっても電子メールに対する作業については何時でもすることができる。従って、例えばデジタル放送の番組内において電子メールの返信を要求する場合などにおいて、通信状態が悪く電子メールの送信ができないという理由で視聴者の利用機会が減ってしまうのを回避することができる。
【発明を実施するための最良の形態】
【００２０】
以下、図面を参照して本発明の実施の形態について説明する。
【００２１】
図１は、本実施形態におけるデジタル放送システムの構成を示すブロック図である。本実施形態では、地上波デジタルテレビ放送を例にして説明する。
【００２２】
図１中に示す携帯電話機１は、本発明の受信装置を実現する一例であって、基本的な音声通話のための機能の他に、放送局システム２から送信されたデジタルテレビ放送を受信して放送番組の映像や音声を出力する機能が設けられている。携帯電話機１は、放送局システム２から送信される移動体向けのデータを取得して番組の出力、あるいは各種データ処理を実行することができる。
【００２３】
放送局システム２は、地上波デジタルテレビ放送を送信するもので、複数チャンネルの番組データ（音声データ、映像データ）を含む放送フレームを送信する。放送局システム２からは、例えば一般家庭などで使用される家庭内ＴＶ５向けの番組データの他に、携帯電話機１などの移動体向けの番組データを含めて送信する。また、放送局システム２は、テレビ放送だけでなくデータ放送も行う。放送局システム２は、放送番組において視聴者から電子メールの送信を要求する場合、例えば問い合わせ、アンケートの回答、応募、ユーザ登録などを番組で要求する場合には、番組データと関連付けて、電子メールで使用されるデータを含む応募メールデータを付加して送信することができる。
【００２４】
基地局３は、携帯電話機１との間で無線通信を行なうもので、携帯電話機１とインターネットなどのネットワーク４とを無線通信を介して接続する。
【００２５】
ネットワーク４は、公衆回線網（有線、無線）、インターネットなど各種通信網を含むもので、例えば携帯電話機１、家庭内ＴＶ５、サーバ６などが接続される。
【００２６】
家庭内ＴＶ５は、放送局システム２から送信されたデジタルテレビ放送を受信して放送番組の映像や音声を出力する。家庭内ＴＶ５は、ネットワーク４と接続されており、ネットワーク４を介して各種サービスを提供するサーバ６にアクセスしたり、電子メールの送信等をすることができる。家庭内ＴＶ５は、デジタルテレビ放送により視聴された番組に関係するデータをサーバ６から取得することができる。
【００２７】
サーバ６は、各種サービスを提供するもので、例えば放送局システム２により放送される番組に関係するデータの提供なども行う。
【００２８】
図２は、図１に示す放送局システム２の詳細な構成を示すブロック図である。図２に示すように、放送局システム２はコンピュータシステムにより構成され、ＣＰＵ１０、記憶装置１１、ＲＡＭ１２、出力部１３、放送装置１４、アンテナ１５、番組管理装置１６、番組ファイル記録部１７、及びデータファイル記録部１８が設けられている。
【００２９】
ＣＰＵ１０は、放送局システム２全体の制御を司るもので、ＲＡＭ１２に記録されたプログラムやデータに従い各部の制御を実行する。ＣＰＵ１０は、番組管理装置１６により管理された番組ファイル記録部１７及びデータファイル記録部１８に記録されたデータを、複数の番組のそれぞれに対応するチャンネルデータ（番組データ）として出力部１３を通じて放送フレームにのせて送信する。
【００３０】
記憶装置１１は、システム全体を制御するプログラムや各種データが記憶されている。
【００３１】
ＲＡＭ１２は、ＣＰＵ１０によりアクセスされるプログラムやデータなどを一時記録する。
【００３２】
出力部１３は、ＣＰＵ１０の制御のもとで、複数のチャンネルデータからなる放送フレームを放送装置１４から送信させる。
【００３３】
放送装置１４は、出力部１３を通じて得られる複数のチャンネルデータからなる放送フレームの放送信号をアンテナ１５より送出する。なお、放送信号は、放送局システム２から送信する必要はなく別の場所に設けられた発信所から送信することも勿論可能である。
【００３４】
番組管理装置１６は、ＣＰＵ１０の制御のもとで番組ファイル記録部１７及びデータファイル記録部１８に記録されたデータを管理する。番組管理装置１６は、各チャンネルにおける番組スケジュールに従い、番組データが記録された番組ファイル、あるいはデータファイル記録部１８に記録されたデータ通信用のデータファイルを読み出して出力する。
【００３５】
番組ファイル記録部１７は、複数の各チャンネルにおける番組の番組データが記録されている。番組ファイル記録部１７に記録された番組ファイルは、番組管理装置１６により必要に応じて読み出され、出力部１３、放送装置１４を介しデジタル放送電波にのせて送信される。
【００３６】
データファイル記録部１８は、データ放送用のデータが記録されている。データファイル記録部１８には、放送番組内で視聴者から電子メールの送信を要求する場合に送信される応募メールデータ１８ａが記録されている。応募メールデータ１８ａは、必要に応じて読み出され、番組データと関連付けて送信される。
【００３７】
図３は、図１に示す携帯電話機１の詳細な構成を示すブロック図、図４は携帯電話機１の外観を示す図である。  
図３に示すように、本実施形態における携帯電話機１は、制御部２０、ＲＯＭ２２、ＲＡＭ２４、液晶表示部２６、キー入力部２８、無線部３０、アンテナ３１、音声変換回路３２、スピーカ３４、マイク３６、チューナ４０、デコーダ４２、及びスピーカ４４が設けられている。
【００３８】
制御部２０は、ＣＰＵなどを内蔵して構成され、ＲＯＭ２２あるいはＲＡＭ２４に記録されたプログラムやデータに基づいて各部を制御して各種機能を実現する。制御部２０では、ＲＯＭ２２に記録されたメールプログラム２２ａをＣＰＵにより実行することで実現されるメール制御部２０ａ、同じく放送制御プログラム２２ｂを実行することで実現される放送制御部２０ｂが設けられる。
【００３９】
ＲＯＭ２２及びＲＡＭ２４は、プログラムやデータなどを記録するもので、制御部２０に内蔵されたＣＰＵによりアクセスされる。ＲＯＭ２２には、電子メールの作成／送受信等の処理を実行するためのメールプログラム２２ａ、デジタルテレビ放送を受信して出力するための放送制御プログラム２２ｂなどが記録されている。
【００４０】
液晶表示部２６は、制御部２０の制御に従って各種処理に伴う画像を表示する。音声通話のための携帯電話モードでは、通常では基本画面（待ち受け画面）が表示されており、発信、着信、その他各種処理が実行される場合にはそれぞれに応じた画面が表示される。デジタルテレビ放送を受信するテレビモードでは、テレビ放送番組の映像、あるいはデータ放送により受信された文字などが表示される。
【００４１】
キー入力部２８は、各種データの入力に用いられるもので、例えば数字、仮名、各種記号等の文字を入力するための文字キーの他、特定の機能が割り当てられる機能キー２８ａ、上下左右方向を指示するためのテレビ選局／カーソル移動キー２８ｂ、テレビ放送の受信モードに切り替えるためのテレビモード選択キー２８ｃ、選択実行等を指示するための選択実行キー２８ｄなどが設けられている。
【００４２】
無線部３０は、携帯電話機１における音声通話等や外部の機器とのデータ通信（電子メールの送受信を含む）をするための送受信処理を実行するもので、アンテナ３１を通じて無線信号の送受信を行う。無線部３０は、音声変換回路３２からの音声メッセージ、制御部２０からの文字メッセージ、あるいは各種情報や制御信号を変調してアンテナ３１より送信し、またアンテナ３１より受信した音声メッセージを音声変換回路３２に出力し、また文字メッセージあるいは各種情報や制御信号を復調して制御部２０に出力する。
【００４３】
音声変換回路３２は、マイク３６から入力された音声信号を音声データに変換して無線部３０に出力し、また無線部３０からの音声データを音声信号に変換してスピーカ３４から出力する。
【００４４】
チューナ４０は、アンテナ４１を通じて、放送局システム２から送信されたデジタルテレビ放送の放送電波を受信する。
【００４５】
デコーダ４２は、チューナ４０により受信された放送電波を放送フレームのデジタルデータに変換し、所定の復調処理によりチャンネルデータ（番組データ）を抽出して制御部２０に出力する。
【００４６】
スピーカ４４は、チューナ４０により受信されたデジタルテレビ放送の音声を出力するために使用される。
【００４７】
次に、本実施形態におけるデジタル放送システムにおける各部の動作について説明する。  
まず、放送局システム２の動作について、図５に示すフローチャートを参照しながら説明する。  
放送局システム２は、番組スケジュールに従い、番組管理装置１６により番組ファイル記録部１７に記録された所定の番組の番組ファイルを読み出し、番組データ（画像データ、音声データ）を送信している（ステップＡ１）。
【００４８】
この間、放送局システム２は、データ放送をする場合には（ステップＡ２、Ｙｅｓ）、番組管理装置１６によりデータファイル記録部１８に記録された所定のデータ放送のデータを読み出して送信する（ステップＡ３）。
【００４９】
図６には、放送局システム２から送信される放送フレームの概略を示している。図６（ａ）に示すように、放送局システム２は、番組データ（音声データ、映像データ）を放送フレームにのせて送信する。
【００５０】
また、番組中で例えばプレゼントの応募案内をしている場合に、この応募案内の番組データと関連付けて、図６（ｂ）に示すように、視聴者が応募申込みに利用する電子メールを作成するためのデータを含む応募メールデータをデータ放送によって送信する。
【００５１】
次に、携帯電話機１におけるテレビモード時の動作（ＴＶ受信）について、図７に示すフローチャートを参照しながら説明する。
【００５２】
携帯電話機１は、キー入力部２８のテレビモード選択キー２８ｃが操作されることで、テレビモードへの移行が指示されると、現在の指定チャンネルの番組データを受信し、映像データに応じた映像を液晶表示部２６において表示させると共に、音声データに応じた音声をスピーカ４４から出力させる（ステップＢ１）。制御部２０は、テレビモード時にテレビ選局／カーソル移動キー２８ｂが操作された場合、例えば上下方向を示すキーが押された場合には、出力対象とするチャンネルを切り替える。
【００５３】
ここで、番組中に視聴者に対する応募案内が含まれていたものとする。この場合、携帯電話機１は、番組データと関連付けられた、データ放送により受信される応募メールデータをもとにして応募画面データ放送表示を行う（ステップＢ２）。
【００５４】
図８（ａ）には、応募画面データ表示により表示される応募画面の一例を示している。図８（ａ）では、液晶表示部２６の表示画面の上部半分のエリアにおいて番組データに応じた映像の表示が継続して行われており、下部半分のエリアにおいて応募画面が表示されている。応募画面では、応募に関する説明と応募申込みを受け付けるための応募ボタンが表示されている。
【００５５】
図８（ａ）に示す応募画面を表示するための応募メールデータの一例を図９に示している。図９に示す応募メールデータは、例えばジタルデータ放送用コンテンツの記述に使用されるマークアップ言語であるＢＭＬ（broadcast markup language）により記述された例を示している。
【００５６】
図９に示すように、応募画面において表示される説明「応募する場合は…送信下さい」のテキストデータ、応募ボタンを表示するための「応募」のイメージデータのファイル「image/oubo.gif」が指定されている。なお、応募メールデータには、「image/oubo.gif」などのイメージファイルも含まれているものとする。
【００５７】
図１０には、応募画面データ放送表示から電子メールの作成を実行させる場合の動作を説明するフローチャートを示している。  
まず、図８（ａ）に示すように応募画面が表示された状態でテレビ選局／カーソル移動キー２８ｂが操作されると、制御部２０は、操作方向（上下方向）に応じて、フォーカス（選択対象）を移動させる。
【００５８】
応募ボタンにフォーカスが移動され（ステップＣ１）、選択実行キー２８ｄを押下する操作がされると（ステップＣ２、Ｙｅｓ）、制御部２０は、応募メールデータに電子メールで使用されるデータがあるか否かを判断し、当該データがある場合にメールプログラム２２ａを起動してメール制御部２０ａによる動作を開始する。
【００５９】
例えば、図９に示す応募メールデータでは「mailto」の記述がある場合に、電子メールで使用されるデータがあることを示している。制御部２０は、「mailto」記述があることを判断してメール制御部２０ａ（メールプログラム２２ａ）を起動する（ステップＣ３）。
【００６０】
以下、応募メールデータ中の電子メールのフォーム中の項目を示す項目データをもとに、電子メールで使用されるデータを抽出し、メール制御部２０ａにより提供される電子メールのフォームの所定位置に記載する。
【００６１】
例えば、応募メールデータ中の「mailto」記述以下には、メールアドレスを表す記述がされている。図９では、「kensyo@lotto.co.jp」の記述がメールアドレスを表している。制御部２０は、電子メールのフォームのメール宛先の部分に、メールアドレスを示す「kensyo@lotto.co.jp」の記述を記載する（ステップＣ４）。
【００６２】
また、「subjectto」記述があった場合には、この記述以下には、メールの題名を表す記述がされている。図９では、「ベッカモＴシャツ応募」の記述が題名を表している。制御部２０は、電子メールのフォームの題名の部分に、題名を表す「ベッカモＴシャツ応募」の記述を記載する（ステップＣ５）。
【００６３】
また、「contentsto」記述があった場合には、この記述以下には、メールの本文を表す記述がされている。図９では、「すべて全角で記入下さい。クイズの答え：……職業：」の記述がメール本文を表している。制御部２０は、電子メールのフォームのメール本文部分に、本文を表す「すべて全角で記入下さい。クイズの答え：……職業：」の記述を記載する（ステップＣ６）。
【００６４】
このように、応募メールデータ中から、電子メールのフォーム中の項目を表す項目データ、例えば「mailto」「subjectto」「contentsto」の記述をもとにして、これら記述と対応付けられた、それぞれに対応する電子メールで使用される記述（メールデータ）を抽出し、電子メールのフォームのそれぞれに該当部分に入力することで、視聴者から送信する電子メールを視聴者による操作なしに作成することができる。
【００６５】
メール制御部２０ａは、応募メールデータから得られたデータがフォーム中の項目に記載された電子メール処理用の画面を表示させる。  
図８（ｂ）には、図９に示す応募メールデータをもとに作成された電子メールの一例を示している。図８（ｂ）に示すように、メールの宛先、表題（題名）、メール本文が、応募メールデータから取得されたデータにより予め記載されている。
【００６６】
ここでは、メール制御部２０ａ（メールプログラム２２ａ）による通常の機能により、キー入力部２８に対する入力操作によって電子メールに掲載するデータを入力してメール編集することができる。例えば、応募メールデータによってメール本文中に予め掲載されている項目、「クイズの答え」「郵便番号」…「職業」のそれぞれに対応する位置に、視聴者が任意に文字データを入力していくことができる。
【００６７】
これにより、例えばプレゼント応募のために送信する必要がある電子メールであっても、予め主要なデータが記載されているため、視聴者は最低限のデータ入力操作だけで済む。また、この状態では、携帯電話機１と基地局３との間は無線通信をしていないオフラインの状態にあるので、時間や通信に要する必要を気にしないでデータ入力をすることができる。従って、例えばプレゼント応募に気軽に参加することができるようになり、放送局が提供する番組における募集に対して、視聴者の参加機会を増加させることができる。
【００６８】
こうして、必要なデータが入力されてメール編集が完了し、メール送信の実行が指示されると（ステップＢ３）、制御部２０は、無線部３０により基地局３との間で無線通信が可能な状態にあるかを判別する（ステップＢ４）。ここで、通信可能な場合、制御部２０は、視聴者によって入力されたデータ、すなわち「クイズの答え」や個人情報（「郵便番号」…「職業」）のデータが記載された電子メールについて送信処理を実行する（ステップＢ５）。
【００６９】
一方、基地局３との通信ができない通信不能の状態にあると判別された場合、制御部２０は、作成された電子メールを一時保存しておくメール保存処理を実行する（ステップＢ６）。
【００７０】
以上により、放送局システム２から送信された番組データに付加された応募メールデータを利用した電子メールの生成と送信の処理を終了する。制御部２０は、メール制御部２０ａ（メールプログラム２２ａ）を終了させて、元のテレビモードの状態に戻してデジタルテレビ放送を出力させる。
【００７１】
本実施形態では、前述のようにユーザからの操作によらずメール保存処理によって保存された電子メールを自動送信する。  
すなわち、制御部２０は、メール保存処理によって電子メールを保存した場合、無線部３０により、基地局３との無線通信が可能な状態であるか否かを継続的に監視する。そして、通信可能な状態になったと判別された場合、制御部２０は、メール保存処理によって保存された電子メールの送信処理を実行する。この際、メール制御部２０ａ（メールプログラム２２ａ）によりメール送信処理を実行させる場合には、メール制御部２０ａを起動して当該電子メールについての送信処理を実行させる。メール送信処理が終了後に、メール制御部２０ａを終了させて元の状態に戻す。
【００７２】
このようにして、電子メールを送信する際に、携帯電話機１が通信不能の状態であったとしても、視聴者に対して多大な作業負担を与えることなく、使い勝手良く電子メールの送信が可能なので、プレゼント応募などの視聴者の参加機会を損なわないようにできる。
【００７３】
なお、前述した説明では、メール保存処理（ステップＢ６）によって保存された電子メールについては、通信可能な状態となった時点で自動的に送信するとしているが、メール制御部２０ａ（メールプログラム２２ａ）に設けられた基本的な機能により、ユーザが通信可能となったことを確認してからメール送信操作をすることで送信するようにしても良い。この場合、自動送信するか、あるいはユーザからの入力操作によって送信するかを、予めユーザが設定しておくようにしても良い。
【００７４】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００７５】
また、携帯電話機１を実現するコンピュータに実行させることのできる制御プログラムを、例えば磁気ディスク（フレキシブルディスク、ハードディスク等）、光ディスク（ＣＤ−ＲＯＭ、ＤＶＤ等）、半導体メモリなどの記録媒体に書き込んで、あるいは通信媒体を通じて提供することができる。制御プログラムによりコンピュータの動作を制御することで、前述した実施形態における機能を実現することができる。
【図面の簡単な説明】
【００７６】
【図１】本発明の実施の形態におけるデジタル放送システムの構成を示すブロック図。
【図２】図１に示す放送局システム２の詳細な構成を示すブロック図。
【図３】図１に示す携帯電話機１の詳細な構成を示すブロック図。
【図４】図１に示す携帯電話機１の外観を示す図。
【図５】本実施形態における放送局システム２の動作について説明するためのフローチャート。
【図６】放送局システム２から送信される放送フレームの概略を示す図。
【図７】携帯電話機１におけるテレビモード時の動作（ＴＶ受信）について説明するためのフローチャート。
【図８】応募画面データ表示により表示される応募画面と電子メール編集画面の一例を示す図。
【図９】応募画面を表示するための応募メールデータの一例を示す図。
【図１０】応募画面データ放送表示から電子メールの作成を実行させる場合の動作を説明するためのフローチャート。
【符号の説明】
【００７７】
１…携帯電話機、２…放送局システム、３…基地局、４…ネットワーク、５…家庭内ＴＶ、６…サーバ、１０…ＣＰＵ、１１…記憶装置、１２…ＲＡＭ、１３…出力部、１４…放送装置、１５…アンテナ、１６…番組管理装置、１７…番組ファイル記録部、１８…データファイル記録部、１８ａ…応募メールデータ、２０…制御部、２０ａ…メール制御部、２０ｂ…放送制御部、２２…ＲＯＭ、２２ａ…メールプログラム、２２ｂ…放送制御プログラム、２４…ＲＡＭ、２６…液晶表示部、２８…キー入力部、３０…無線部、３１…アンテナ、３２…音声変換回路、３４…スピーカ、３６…マイク、４０…チューナ、４１…アンテナ、４２…デコーダ、４４…スピーカ。
【図１】
2005352977.tif 000003
【図２】
2005352977.tif 000004
【図３】
2005352977.tif 000005
【図４】
2005352977.tif 000006
【図５】
2005352977.tif 000007
【図６】
2005352977.tif 000008
【図７】
2005352977.tif 000009
【図８】
2005352977.tif 000010
【図９】
2005352977.tif 000011
【図１０】
2005352977.tif 000012